Podtech/llm-jp-corpus-v4-ja_patent huggingface dataset:
(57)【要約】【課題】水晶振動子への外部からの機械的、熱的な衝撃に対して耐性の高いサポート金具を提供することを目的とする。【解決手段】（ア）金属製の薄い素材でできた段付き形状の水晶固定部（１）の片側に素材の一部を規定の角度を立ち上げた形状の立ち上げ部（６）を設けた側面支柱部（４）を設け、この先に水晶固定部（１）の長手方向に沿った支柱間サポート部（７）を、側面支柱部（４）に沿って設けられた概略長方形の中心支柱部（２）の一端と繋ぎ設ける。（イ）（ア）のサポート金具（３）とこれと非対称な形状のサポート金具２（１０）を対向して水晶振動子の台座部（１１）側の電極（８）及び電極２（１２）に電極接続部（５）及び電極接続部２（１３）を位置合わせし設けたことを特徴とする。【選択図】図１
2010130677.tif 000002
【特許請求の範囲】
【請求項１】
（ア）金属製の薄い素材でできた段付き形状の水晶固定部（１）の片側に素材の一部を規定の角度を立ち上げた形状の立ち上げ部（６）を設けた側面支柱部（４）を設け、この先に水晶固定部（１）の長手方向に沿った支柱間サポート部（７）を、側面支柱部（４）に沿って設けられた概略長方形の中心支柱部（２）の一端と繋ぎ設ける。
（イ）（ア）のサポート金具（３）とこれと非対称な形状のサポート金具２（１０）を対向して水晶振動子の台座部（１１）側の電極（８）及び電極２（１２）に電極接続部（５）及び電極接続部２（１３）を位置合わせし設ける。
以上の構成の水晶振動子用サポート
【請求項２】
側面支柱部（４）に立ち上げ部（６）を設けない請求項１の水晶振動子用サポート。
【発明の詳細な説明】
【技術分野】
【０００１】この発明は電子機器等、特にマイコンや発信器を搭載している機器の内部に使用されている水晶振動子の内部に用いられている水晶振動子を保持しているサポート金具に関するものである。
【背景技術】
【０００２】従来、水晶振動子内の水晶はサポート金具と接着により接続され、外部へ電気信号を取り出す電極とは内部でスポット溶接などにより接続されていた。このサポート金具は水晶振動子が外部より衝撃や振動などの衝撃をうける際に水晶自体が損傷し、機器が使用できなくなることを避けるために、衝撃を緩和するための弾性支持機能を備えた形態を採用していた。
【発明の開示】
【発明が解決しようとする課題】
【０００３】そのためには次のような問題が有った。
サポート金具の形状は製造上の制約及び本分野の経験の不足により上下方向の動きに対するピッチング及び水晶の長手方向の軸回りのローリングに関しては弾性的に作られていたが、電極方向の上下の軸回り、ヨーイングに関しては考慮されていなかった。このため使用中に破損し、搭載している機器の使用が不可能となることが有った。
【課題を解決するための手段】
【０００４】現状のサポート金具では水晶は２本の支持部材を介して支えられている構造であるが支持部材を１本とし、この一本の形状及び加工方法を見なおし更に左右の形状を非対称形状とした。
【発明の効果】
【０００５】電極の接続部から水晶固定部までの支持部材を２本から１本とし、この部位に規定の角度の立ち上げ部を設けたために板厚を変更することなくヨーイングとピッチングの剛性を均等に近い値に調整することができる。【０００６】左右の形を非対象としたためヨーイング、ピッチング及びローリングの動作の時に左右の力及び動作のバランスが取りやすい。
【発明を実施するための最良の形態】
【０００７】以下に本発明の実施の形態を図１，図２，図３を用いて説明する。
（ア）金属製の薄い素材でできた段付き形状の水晶固定部（１）の片側に素材の一部を規定の角度を立ち上げた形状の立ち上げ部（６）を設けた側面支柱部（４）を設け、この先に水晶固定部（１）の長手方向に沿った支柱間サポート部（７）を、側面支柱部（４）に沿って設けられた概略長方形の中心支柱部（２）の一端と繋ぎ設ける。
（イ）（ア）のサポート金具（３）とこれと非対称な形状のサポート金具２（１０）を対向して水晶振動子の台座部（１１）側の電極（８）及び電極２（１２）に電極接続部（５）及び電極接続部２（１３）を位置合わせし設ける。
本発明は以上のような構成で使用の際は、
水晶振動子の台座部（１１）の左右に配置された電極（８）及び電極２（１２）の先端部に二個の非対称形状をした本品の中心支柱部（２）の電極接続部（５）及び電極接続部２（１３）をスポット溶接や超音波を用いて電気的、機械的に強固に接続し、水晶体（９）を左右の水晶固定部（１）に接着にて固定する。この後金属製のキャップを被せ蝋付けなどにより封止する。
この際側面支柱部（４）には立ち上げ部（６）を設けない形状でもよい。
【図面の簡単な説明】
【００１０】
【図１】本発明のサポート金具の斜視図である。
【図２】本発明の水晶体、サポート金具、台座の分解斜視図である。
【図３】従来のサポート金具を用いた分解斜視図である。
【図４】本発明の他の案の分解斜視図である。
【符号の説明】
【００１１】１．水晶固定部
２．中心支柱部
３．サポート金具
４．側面支柱部
５．電極接続部
６．立ち上がり部
７．支柱間サポート
８．電極
９．水晶体
１０．サポート金具２
１１．台座部
１２．電極２
１３．電極接続部２
【図１】
2010130677.tif 000003
【図２】
2010130677.tif 000004
【図３】
2010130677.tif 000005
【図４】
2010130677.tif 000006
(57)【要約】      （修正有）【課題】映像表示板をレンズ側より見ることが出来る。レンズ側よりレンズの角度を調節出来る。映像を見ながら撮影できる。【解決手段】カメラ背面に設けられた映像表示板に対して、映像表示板の内容をカメラ前面のレンズ側からも見ることが可能となるように、それぞれ異なる角度を持った鏡を取付けた最上板、及び上板を蝶番により接続し、更に水平方向の底板を蝶番で上板に接続した底板を取り付けた取付け台を用意し、取り付け台上にカメラを設置した。【選択図】図１
2010130676.tif 000002
【特許請求の範囲】
【請求項１】
映像表示板（１２）に対して異なる角度を持った鏡（１０）を取付けた最上板（８）及び鏡（９）を取付た上板（７）を蝶番（６）により接続対し、更に上板（７）に接続した底板（５）を撮影機取付台（１）に取付けた撮影機取付台
【発明の詳細な説明】
【技術分野】
【０００１】本発明は、デジタルカメラ及び携帯電話等の撮影時に映像確認の為の映像確認用鏡に関するものである．
【背景技術】
【０００２】従来自動撮影を行う時にレンズの背面より想像で行っていた．
【発明の開示】
【発明が解決しようとする課題】
【０００３】そのために次のような問題点があった．
（イ）映像表示面がレンズ側より見えなかった．
（ロ）撮影機が邪魔であった．
本発明は、これらの問題点を解決する為になされたのでる．
【課題を解決する手段】
【０００４】上記の問題点を解決する為映像表示板に対してそれぞれ異なる角度の鏡を、取付た最上板及び、上板を蝶番により接続し、更に水平方向の底板を蝶番で上板に接続する．
裏側には三脚に取付る取付台取付具を、上面には撮影機取付具を設けた
撮影機取付台に２枚の鏡を持った底板を取付る事によりなる映像確認用鏡を持った取付台である．
【発明の効果】
【０００５】その結果、次の効果が生じる．
（イ）映像表示板をレンズ側より見る事が出来る．
（ロ）レンズ側よりレンズの角度を調節出来る．
（ハ）映像を見ながら撮影が出来る．
【発明を実施する為の最良の形態】
【０００６】以下本発明の実施形態について説明する．
（イ）裏側には三脚に取付ける取付具（４）上面には撮影機取付具（２）を設け、撮影機（１１）に対してそれぞれ異なる角度の鏡をもった鏡を取付けた最上板（８）上板（７）及び底板（５）をそれぞれ蝶番（６）により取付た底板（５）を撮影機取付台（１）に固定具（１４）により取付る．
（ロ）撮影機取付具（２）の変りにバンドによる撮影機取付具（１５）に又、撮影角度を変える三脚（１３）の変りに高さ調節具（１６）に変える事も出来る．
本発明は以上のような構成で、これを使用する時は取付具（４）により三脚（１３）に取付、撮影機（１１）撮影機取付具（２）に又は撮影機取付具（１５）により撮影機取付台（１）に取付ける．
更に底板（５）の固定具（１４）により撮影機取付台（１）に取付る、蝶番．（６）により上板（７）最上板（８）の角度を変える．
映像表示板（１２）を鏡（１０）見ながら三脚（１３）を操作して自動撮影が出来る．
又上板（７）最上板（８）を横方向にして鏡（１０）見ながら撮影が出来る．
撮影機（１１）をバンド方法による撮影機取付け具（１５）により撮影機取付台（１）に取付、又カメラ以外に携帯電話を取付ければ自分の姿を映像表示板（１２）を確認しながら撮影が出来る．
又三脚（１３）を使用しないで複数の高さ調節具（１６）をネジを利用して上下すればレンズの角度調節が出来る．
【図面の簡単な説明】
【０００７】
【図１】本発明の斜視図である．
【図２】本発明の使用状態を示す斜視図である．
【図３】本発明の応用例による斜視図である．
【図４】本発明の使用状態を示す斜視図である．
【符号の説明】
１．撮影機取付台  ２．撮影機取付具  ３．平行端面  ４．取付具
５．底板  ６．蝶番  ７．上板  ８．最上板  ９．鏡  １０．鏡  １１．撮影機
１２．映像表示板  １３．三脚  １４．固定具  １５．撮影機取付具  １６．高さ調節具
【図１】
2010130676.tif 000003
【図２】
2010130676.tif 000004
【図３】
2010130676.tif 000005
【図４】
2010130676.tif 000006
(57)【要約】【課題】  携帯電話の呼出し音を，コマーシャルに変えるシステムを提供する。【解決手段】  携帯電話の所有者から呼出し音をコマーシャルに替える人を募り、同時に広告主を募集する。携帯電話所有者で、コマーシャルに切り替える同意者には、登録会員として謝礼を支払うのを特長とするコマーシャルコールシステムである。【選択図】図１
2010130678.tif 000002
【特許請求の範囲】
【請求項１】
事業本体から、携帯電話所有者に対し、使用する電話の呼び出し音を、コマーシャル音声に切り替える人を募り、企業からは広告を募集、携帯電話所有者には謝礼を払うのを特長とする携帯電話を媒体としたコマーシャルコールシステム。
【発明の詳細な説明】
【技術分野】
【０００１】  携帯電話の音声配信に関するものである。
【背景技術】
【０００２】  従来、携帯電話の呼び出し音は、ベル音によるものがほとんどであるが、機種によって保有する音楽などを、呼び出し音に変えたり、ミユージック配信を受け呼出に利用している。また携帯電話の使用者が、指定の電話番号に電話を掛けコマーシヤルを聞くと通信サービス受けられるシステムもある。（例えば特許文献１及び特許文献２参照）【０００３】
【特許文献１】特開平１０−２１０１９２
【特許文献２】特開２００３−６７６３４
【発明の開示】
【発明が解決しようとする課題】
【０００４】  携帯電話所有者に、コマーシャルの場所を提供してもらう変わりに、通信費の一部を支援するシステムである。
【課題を解決するための手段】
【０００５】  事業本体から、携帯電話所有者に対し、使用する電話の呼出し音を、コマーシャル音声に切り替える人を募り、企業からは広告を募集、携帯電話所有者には謝礼を支払うのを特長とする携帯電話を媒体としたコマーシャルコールシステムである。
【発明の効果】
【０００６】  携帯電話所有者は、参加することにより通信費の一部を軽減できるメリットがある。また広告主には、電話がかかってくると登録者の周辺にいる人にもコマーシャルを聞いてもらえる効果がある。
【発明を実施するための最良の形態】
【０００７】  事業本体１から、携帯電話所有者に対し、使用する電話の呼出し音を、コマーシャル音声に切り替える人を募り、実行希望者は会員登録２する。一方企業など３には携帯電話の呼出し音を利用したコマーシャルのスポンサー３になってもらい、登録会員３には謝礼４を支払って運営するシステムである。第三者５が固定電話又は携帯電話から登録会員３の携帯電話に電話をかけると、コマーシャルの呼出し音声が聞こえ、当人が出るまでの間コマーシャルが流れ、宣伝効果の期待できるシステムである。
【図面の簡単な説明】
【０００７】
【図１】本発明のシステム説明図
【符号の説明】
【０００８】  １    事業体
２    携帯電話所持者の登録会員
３    広告主（スポンサー）
４    謝礼支払い
５    第三者
【図１】
2010130678.tif 000003
【手続補正書】
【提出日】平成21年4月25日(2009.4.25)
【手続補正１】
【補正対象書類名】明細書
【補正対象項目名】全文
【補正方法】変更
【補正の内容】
【発明の詳細な説明】
【技術分野】
【０００１】  携帯電話の音声配信に関するものである。
【背景技術】
【０００２】  従来、携帯電話の呼出し音は、ベル音によるものがほとんどであるが、機種によって保有する音楽などを呼出し音に変えたり、ミュージック配信を受け呼び出しに利用している。また携帯電話の使用者が、指定の電話番号に電話を掛けコマーシャルを聞くと通信サービスが受けられるシステムもある。（例えば特許文献１及び特許文献２参照）【０００３】
【特許文献１】特開平１０−２１０１９２
【特許文献２】特開２００３−６７６３４
【発明の開示】
【発明が解決しようとする課題】
【０００４】  携帯電話所有者に、コマーシャルの場所を提供してもらう変わりに、通信費の一部を支援するシステムである。
【課題を解決するための手段】
【０００５】  事業本体から携帯電話所有者に対し、使用する電話の呼出し音を、コマーシャル音声に切り替える人を募り、企業からは広告を募集、携帯電話所有者には謝礼を支払うのを特長とする携帯電話を媒体としたコマーシャルコールシステムである。
【発明の効果】
【０００６】  携帯電話所有者は、参加することにより通信費の一部を軽減できるメリットがある。
【発明を実施するための最良の形態】
【０００７】  事業本体１から、携帯電話所有者に対し、使用する電話の呼出し音を、コマーシャル音声に切り替える人を募り、，実行希望者は会員登録２する。
一方企業など３には携帯電話の呼出し音を利用したコマーシャルのスポンサー３になってもらい、登録会員２には、謝礼４を支払って運営するシステムである。
第三者５が固定電話又は携帯電話から、登録会員２の携帯電話に電話をかけると、コマーシャルの呼出し音声が聞こえ、当人が出るまでの間コマーシャルが流れ、宣伝効果の期待できるシステムである。
【図面の簡単な説明】
【０００８】
【図１】本発明のシステム説明図
【符号の説明】
【０００９】        １      事業体
２      携帯電話所持者の登録会員
３      広告主（スポンサー）
４      謝礼支払い
５      第三者
(57)【要約】      （修正有）【課題】油、水垢、汚れ付着等の除去洗剤が、界面活性剤、有機物質が含まれていない天然素材で構成されているもので、環境に悪影響を及ぼさないことと取り扱い上においてもペースト状のため素材が飛散することなくピンポイント作業が容易にでき、洗浄跡も油皮膜等を皆無にできる、さらに汚れ付着も着き難くなり清跡維持できる洗剤を提供する。【解決手段】主剤を無機粘土鉱物、副剤を酸化チタン、粘土、酸性液酢、水からなり、前記に示す全素材は、粒子を３０μm以下からなるものを混合し、ペースト状に練り上げたことを特徴とする洗剤。【選択図】なし【特許請求の範囲】
【請求項１】
洗剤組成物が（１）無機粘土鉱物４０〜８０重量％、（２）酸化チタン１０〜  ３０重量
％、（３）粘土１０〜１０重量％、（４）酸性液酢０.５〜２重量％、（５）水１〜  １
０重量％を含有してなり、全成分を混合しペースト状に練り合わせたことを特徴とする洗
剤  。
【請求項２】
前記（１）無機粘土鉱物と（２）酸化チタンと（３）粘土は、レーザー回析式粒度分
布測定  装置で測定し粒子が３０μm以下の粒子であることを特徴とする洗剤。
【発明の詳細な説明】
【技術分野】
【０００１】
本発明は、洗剤組成物に関し、垂直面や傾斜面の汚れ対象物に対して塗布したとき付着
滞留性に優れ、高い洗浄性能を有する上、保存安定性が良好であり、自動車洗浄等に於い
て、ガラス部品、金属部品、プラスチック部品の表面の水垢や油膜等の汚れの対象物に軽
度に塗布し、水洗いしたときに、優れた付着滞留性と洗浄性能を示し、ガラス、金属、プ
ラスチック等の表面に好適に使用できる洗剤に関するものである。
【背景技術】
【０００２】
従来は、自動車や住宅機器等の水垢や油脂の汚れに対して、界面活性剤を主成分とする
通常の洗剤ではなかなか除去する事が出来ないため、次亜塩素酸アルカリ金属塩を主基剤
としたものが多用されている。
【０００３】
前記組成物は、界面活性剤と有機物質が含有しているので、容器本体に収納して、スプ
レー式等を用いている、上記洗剤をスプレーした時、洗剤が飛散し、悪臭と薬害を周辺に
及ぼし、すすぎ洗いの水処理にも環境上で課題がある、界面活性剤や有機物質等を使用す
ることで公開開示されていて、減少させることは困難とされている、前記開示技術は何れ
も界面活性剤、有機物質が組成物に入っているため、スプレー式や塗布式で洗剤の飛散に
よる、人体への取り扱いの危険を回避しながら、臭気、環境汚染の問題、油皮膜残跡の対
処課題が有りつつ洗浄することが技術であった。
【特許文献１】特開００１−１７２６８８号公報
【発明の開示】
【発明が解決しようとする課題】
【０００４】
前記開示技術の多くは、油や水垢や汚れ等の異物付着洗浄除去の洗剤の多くが、界面活
性剤や有機物質が含まれている、そのため、洗剤の取り扱い上、悪臭や皮膚等の人体への
薬害や、洗浄後の廃水処理に環境汚染を及ぼしている。
【課題を解決するための手段】
【０００５】
本発明は、前記課題を解決するために、組成物が全て天然素材であること、つまり、無
公害の素材で構成し、成り立つ事である、主剤を無機粘土鉱物、副剤を酸化チタン、粘土
、酸性液酢、水からなり、前記に示す全素材は、粒子を３０μm以下からなるものを混合
し、ペースト状に練り上げたことを特徴とする洗剤に関する。
【発明の効果】
【０００６】
本発明の洗剤は、洗剤組成物が優れた性質を有することから、塗布面への付着滞留性に
優れ、垂直面や傾斜面に塗布した洗剤が垂れ難いため、非常に良好な洗浄力が短時間で得
られる、前記洗剤はペースト状有るが、清掃面に滑らかに塗布できるため、施工範囲が決
められたピンポイントでの施工が容易に出来ると共に、洗剤塗布作業が軽作業になり手首
の疲労感が軽減できたり、洗剤の飛散もなく、無駄な消費もなくなり、自動車等のガラス
窓、金属部品、プラスチック部品にも好適に使用できる、前記洗剤の組成分は、全部天然
素材からのものであるため、取り扱い上、悪臭や洗浄作業による肌荒や健康被害を防止し
たり、洗浄すすぎ洗いによる排水処理に於いて、環境にも悪影響を及ばさない。
【発明を実施するための最良の形態】
【０００７】
本発明の洗剤は、（１）無機粘土鉱物４０〜８０重量％、（２）酸化チタン１０〜３０
重量％、（３）粘土１０〜３０重量％、（４）酸性酢液０.５〜２重量％、（５）水を１
〜１０重量％を混合し、練りこみペースト状にする。
【０００８】
前記０００７に示す（１）無機粘土鉱物は、通常全組成物の４０〜８０重量％、好まし
くは実験の結果５０〜７０重量％の範囲であり、含有量が少なすぎると分離、分解性が低
下し、含有量が多すぎると分離、分解性が向上しない。
【０００９】
前記０００７に示す洗剤組成物中における（２）成分の酸化チタン剤の含有量は、通常
組成全体の１０~３０重量％、好ましくは実験の結果１５〜２５重量％の範囲である。（
２）酸化チタン剤の成分の含有量が少なすぎると分離、分解性が低下し、多すぎると、前
記（１）無機粘土鉱物との相性が悪くなり、性能が発揮しない。
【００１０】
前記０００７に示す洗剤組成物中における（３）成分の粘土の含有量は、
通常組成全体の１０~３０重量％、好ましくは実験の結果１５〜２０重量％
の範囲である、含有量が少なすぎると粘土が高くなり、作業性が向上しない、多すぎると
粘度が低くなり、傾斜面の塗布に洗剤が垂れるため、無駄が生じ、作業性も悪くなる。
【００１１】
前記０００７に示す洗剤組成物中における（４）成分の酸性酢液の含有量は、通常組成
全体の０.５~２重量％、好ましくは実験の結果１〜１.５重量％の範囲である、含有量が
少なすぎると分離、分解性が低下し、含有量が多すぎると分離、分解性が向上しない。
【００１２】
本発明の洗剤組成物中における（５）成分の水の含有量は、通常組成全体の１~１０重
量％の範囲である、粘度調整の希釈剤としている。
【００１３】
前記０００７に示す洗剤組成分における粒子は、実験の結果３０μm以下が好ましく、
３０μm以上では、被膜物の塗布洗浄作業中に作業表面に擦り傷等の損傷が生じる。
【実施例１】
【００１４】
本発明の洗剤で、例えば自動車の窓ガラスへの付着汚染物質である、油皮膜や水垢等を
除去する場合、任意の柔らかいスポンジの一面に若干の水を濡らし、水を濡らした面に洗
剤を適度に塗り付け、洗剤の付いたスポンジを窓ガラス部位に軽度かつ柔軟性に塗布する
、ガラスの表面の汚染物質に、分離分解が生じ、界面破壊が発生する、その後、水洗いを
施すことにより、洗浄面が清楚になる
【産業上の利用可能性】
【００１５】
住宅機器、サービス業務機器等メンテナンス、ガラスに携わる関連部材、その他にも使
用可能であり、産業上の利用可能性は大である。
(57)【要約】      （修正有）【課題】建造物の床下換気口の換気機能を損なうことなく、集中豪雨時に発生する床下換気口からの床下への浸水を外側からの遮蔽によって未然に防止し、冬季には床下保温機能を有し、また別部品を使用することにより平常時には害虫の侵入を防ぐ機能を有し、これらの機能を既存の床下換気口に簡易に設置できることとその開口、遮蔽を簡易にできる遮蔽部材の提供。【解決手段】床下換気口の外側開口部の周囲に枠４を固着し、開口部を遮蔽するための止水板１からなり、枠にある被係止部５及び被掛係止部６が、止水板の係止爪２及び固定金具３により挿通、係着することにより防水パッキン１Ｂが密着をし、また枠の開口部、側壁内縁を利用して止水板内側にある案内面付弾性係止具により止水板が止着するとともに防水パッキンも密着する方法もあり、止水板内側には磁石を固着し、強磁性体の保管板に吸着させることにより近隣に保管することができる。【選択図】図１
2010090683.tif 000002
【特許請求の範囲】
【請求項１】
建造物の布基礎８に設けられる床下換気口の形状に合わせた□または凹の字形の枠４とその内側開口部を遮蔽する止水板１からなり、被係止部５及び被掛係止部６を設置した枠４を布基礎８に固着し、枠の開口部を塞ぐために係止爪２及び固定金具３を設置した止水板１を被係止部５の孔に係止爪２を挿通し、次に被掛係止部６の曲がり部に固定金具３の回転自在なアーム３Ｂを係着することにより、枠に止水板を密着し、止水板内側に固着した防水パッキン１Ｂにより床下換気口の開口部を遮蔽し、床下への水の浸入を防ぎ、簡易に遮蔽開口出来ることを特徴とし、止水板内側に設置した磁石１Ｃを強磁性体である保管板７に吸着することにより、止水板を床下換気口近隣に保管できる機能を特徴とする床下換気口浸水防止器具。
【請求項２】
請求項１の止水板において
前記止水板１の内側に案内面付弾性係止具１Ａを設置し、□または凹の字形の枠の内側開口部の側壁内縁に挿嵌することにより、枠に止水板を係止密着でき、また着脱可能なものである。
【請求項３】
請求項１の被掛係止部６の曲がり部と固定金具３の係着において前記固定金具のリング状回転自在なアーム３Ｂは、シャフト３Ｃを回転軸とする回転自在なレバー３Ａと、また同シャフトの回転軸を中心とする円周上にアーム３Ｂの回転軸は位置し、レバーとアームのトグルリンク機構により被掛係止部６にアーム３Ｂを掛着することで係着する。
【発明の詳細な説明】
【技術分野】
【０００１】  この発明は、床下換気口からの浸水を、被係止部、被掛け係止部を付装した□または凹の字形の枠を床下換気口の開口部に固着し、係止爪及び固定金具の係止部を付装した止水板により枠に密着、換気口開口部を遮蔽することにより、水の床下への浸入を防ぐことに関する技術である。
【背景技術】
【０００２】  換気口遮蔽のために換気口開口部を利用しての遮蔽物の密着等の方法もあるが、基礎表面の凹凸、開口部の変形多様性も多く、狭隘な場所では止水板を横からのスライド装着は難しい等の問題があり、また磁石を利用して換気口開口部を遮蔽するものもあるが、磁石に磁性体異物が吸着すると防水パッキンに隙間が生じ、水漏れの可能性がある。  また止水板の保管についての考慮がなされていない。
【特許文献１】特開２００７−１３２１００
【特許文献２】特開２００７−９６６８
【特許文献３】特開２００７−２３９１８１
【特許文献４】特開２００６−１８３４５６
【実用新案文献１】
実案３１２４５９７
【実用新案文献２】
実案３１３６７０８
【発明の開示】
【発明が解決しようとする課題】
【０００３】  以上の技術によれば、基礎開口部を遮蔽物で確実に止着することは難しく、防水パッキンの確実な効果とはならない器具であった。  この発明は、既存の床下換気口周囲に簡単に器具を取り付けられ、床下への水の浸入を防ぐ止水板も簡易に着脱ができ、確実に防水パッキンの効果を発揮し、止水板の保管も近隣にできるようにすることを課題とする。
【課題を解決するための手段】
【０００４】  以上の課題を解決するために、基礎開口部及び基礎表面の状態に関係なく接着剤によって枠が取り付けられ、枠と止水板は係止金具等の着脱及び弾性係止具により着脱し、防水パッキンは枠と密着することとなり、床下換気口の遮蔽が確実にできる。また止水板の磁石を強磁性体の保管板に吸着することにより止水板を近隣に保管できる。
【発明の効果】
【０００５】  新築及び既存の床下換気口にも簡単に防水器具を取り付けられ、止水板を近隣に保管できることにより大雨増水の緊急時にも素早く対処でき、また換気口を遮蔽することにより冬季の床下保温のために利用できる。
【発明を実施するための最良の形態】
【０００６】  この発明の実施形態を、図１・２・３に示す。
図１において、基礎の床下換気口周囲に防水接着して取り付けてある枠４には止水板１を係着するための被係止部５の挿入孔と被掛係止部６があり、止水板には係止爪２及び固定金具３が付装されている。  図２では枠の内側開口部を利用して、そこに挿嵌のための案内面付弾性係止具１Ａを止水板の内側に固着したものである。  図１・２に共通して止水板の外側に取手９と内側にはパッキン１Ｂが固着し、また磁石１Ｃも装着してある。  止水板を保管するために強磁性体である保管板８を近隣に設置した。  図３の固定金具３は係着のためのリング状回転自在アーム３Ｂとそれを止着するためのレバー３Ａが装着されている。【０００７】「実施形態の効果」
この実施形態によれば床下枠換気口を遮蔽するときに枠と止水板の位置のズレが無く、確実に防水パッキンが枠と密着することにより防水効果が高まる。また止水板の保管はこの枠の左右任意の場所に保管できる。【０００８】「他の実施形態」
枠に係止爪、固定金具を設け、止水板に係止爪を係着するための挿通孔のある被係止部、固定金具と係着させるための被掛係止部を設けることもでき、止水板の中央部を細かいメッシュとすれば通風機能が損なわれずに床下換気孔からの害虫の侵入を防ぐ防虫板にも利用できる。
【図面の簡単な説明】
【０００９】
【図１】この発明の一実施形態を示す斜視図である。
【図２】請求項２における止水板の内側斜視図である。
【図３】固定金具の正面及び側面図である。
【符号の説明】
【００１０】１  止水板        １Ａ  弾性係止具  １Ｂ  防水パッキン  １Ｃ  磁石
２  係止爪        ３  固定金具      ３Ａ  レバー      ３Ｂ  アーム
３Ｃ  シャフト    ４  枠            ５  被係止部    ６  被掛け係止部
７  保管板        ８  建造物基礎    ９  取手
【図１】
2010090683.tif 000003
【図２】
2010090683.tif 000004
【図３】
2010090683.tif 000005
(57)【要約】【課題】  コンクリート構造物の漏水原因になるクラックは、躯体中を多方面に向かって伸びています。そのクラックを埋めて、漏水を止めるのに対し、従来の注入プラグは、一方方向にしか噴出せず、止水剤を注入しきれませんでした。また、地下室など、躯体が柔らかい所に面していると、注入液は、弱い所へ逃げるので、躯体背面全体には上手く広がりません。  その為、数多くの場所から注入する必要があり、注入口も多く削孔し、止水液を注入する際に出る、無駄となる溶液も多く発生します。【解決手段】逆噴射口付注入プラグを使用することにより、多方向に注入液が噴出する為、躯体背面他方向に注入する事ができ、柔らかい所に面している場合でも、背面全体に分散させる事ができるので、注入液が広がり、漏水を止める事が出来ます。【選択図】図１
2010090685.tif 000002
【特許請求の範囲】
【発明の詳細な説明】
【技術分野】
【０００１】  本発明は、地下構築物の漏水を伴う躯体背面の空隙を充填し、止水するための逆噴射口付注入パイプである。
【背景技術】
【０００２】  注入プラグは、数多くの種類があるが、基本的に注入液は注入口と反対方向に噴出するものであった。
本発明は、市販されている高圧注入プラグに逆噴射口付パイプを取り付け、躯体厚さより、長い注入プラグとし、噴出口は、多方向で躯体と平行から躯体に向かう角度で噴出するものとした。
【発明開示】
【発明が解決しようとする課題】
従来の注入プラグは躯体から土中へ向かって一定方向しか噴出しないため、数多くの注入口が必要であり、ロス率も多かった。
本発明では、噴出口が躯体と平行ないし、躯体に向かう角度で多くの噴出口があるため、ロス率低減と注入口数を減らすことができる。
【発明の効果】
本注入プラグは、土中より注入液が躯体と平行ないし躯体に向かう角度で噴出するため、ロス率も少なく容易に躯体背面に行き渡る。
【発明を実施するための最良の形態】
【実施例】  地下エレベーターピット止水工事に於いて、コンクリート躯体厚さが比較的薄く、困難を極めたため、本注入プラグを採用し、躯体背面全体に注入液塗膜を形成止水した。
【図面の簡単な説明】
【図１】逆噴射口付パイプの断面図である。
【図２】逆噴射口付パイプの平面図である。
【図３】逆噴射口付パイプの写視図である。
【符号の説明】
１、市販の注入プラグとの接続部
２、噴出口
【図１】
2010090685.tif 000003
【図２】
2010090685.tif 000004
【図３】
2010090685.tif 000005
【手続補正書】
【提出日】平成21年1月5日(2009.1.5)
【手続補正１】
【補正対象書類名】特許請求の範囲
【補正対象項目名】全文
【補正方法】追加
【補正の内容】
【特許請求の範囲】
【請求項１】
多方向に注入液が噴出するように、プラグの側面に噴出口を用いた。
【請求項２】
長さ調節や他のプラグと接続可能にする為に、ネジ穴を付けた。
(57)【要約】【課題】  高層階にホース等を引き上げて行う作業には取り回しの不便さ、道具の傷み、降下作業に伴い落下させる事故の危険などがつきまとっていた。【解決手段】  手すりに安定して引っかかる吊り下げ具にホース等を連結し、上階から外壁沿いに降下させつつロープによる遠隔操作で安全に手すりに引っ掛けることができるようにする。これにより、ゆるみやはずれによる落下事故を防ぐことができ、なおかつ取り回しが楽になって効率化が図れる。【選択図】図１
2010090686.tif 000002
【特許請求の範囲】
【請求項１】
階下への移動を安全かつ簡便に行うためのホース等の移動および固定用吊り下げ具
【発明の詳細な説明】
【技術分野】
【０００１】  本発明は、作業中のホースや電線などを安全に下ろし、固定するための吊り下げ具に関するものである。
【背景技術】
【０００２】  マンションの廊下や排水管などの高圧洗浄時に、高層階までホースを引き上げ、手すりに巻き付けたりして固定していた。もしくはホースを階段に這わせていた。
【発明の開示】
【発明が解決しようとする課題】
【０００３】  高層階まで外壁沿いにホース等を引き上げ、手すりに巻き付けたりして固定していたため、手すりが傷ついたり、ホース等が傷んだりすることがあった。【０００４】  また、ホース等の固定が不十分で作業中にほどけて落下する危険性もあった。【０００５】  さらに、ホース等を外壁を伝って下の階に移動するときにも落下させる危険がある。【０００６】  安全のためにホース等を階段に這わせると余分の長さが必要となり、手間が大いにかかる上、下層階に来てホース等が余ってくると邪魔となり歩行者に危険をもたらすこともあった。
【課題を解決するための手段】
【０００７】  本発明はホース等を壁面の外側に安全に吊り下げることができるよう３本腕のフックを作り、中央下部の輪にスリング及びカラビナを用いてホースを固定し、その上部にロープを取り付け、ロープを使って外壁伝いに降ろし、手すり壁などに上から引っかける作業ができるようにしたものである。【０００８】  上部にはホース等固定用のクランプを取付け、降下時にホース等の先端を留めてまとめて安全に降ろせる形状になっている。【０００９】  固定用クランプは作業中のホース等を留めて浮かせておくためにも用いる。
【発明の効果】
【００１０】  直接手すりに固定しないため手すりを傷つけること、ホース等を痛めることを回避できる。【００１１】  作業中もしっかりとホース等と連結されたフックが引っかかっているため、手すり等に縛り付けた時に起こりうる、結び目がゆるんで落下するという危険を回避でき安全である。【００１２】  降下させるときも吊り下げ具のフック部分が引っかかって固定されるため、ホース等を単独で扱うときに起こりうる、滑って落ちてしまうことがないので安全である。【００１３】  先端が仮止めされており暴れないので、下で見張ったり受け取ったりする必要がなく、一人でもホース等の降下作業が安全にできる。【００１４】  建物の壁面に沿ってまっすぐにホース等を持ち上げることができるので必要なホース等の長さが最小限に抑えられる。【００１５】  余ったホース等が邪魔にならなくなり、効率的であると共に安全である。
【発明を実施するための最良の形態】
【００１６】  以下、本発明の実施の形態を図１から図５に基づいて説明する。【００１７】  図１と図２において、フック部分１  および中心軸部分２  は丈夫な金属製で互いに固定されている。【００１８】  フック部分１  は様々な手すりの巾に対応できるようにコの字型に加工され、図２のように角度１２０度の等間隔に３本配置されている。この形状により上階からロープで下降させたときに少しのロープ操作で下の階の手すりに掛けることが可能になる。【００１９】  フック部分１および中心軸２の手すりや壁に当たる部分には建物を傷つけないようにゴムカバーが付けられている。【００２０】  上部のロープ、クランプ取付部４  のフック部分からの高さは吊り下げバランス、固定クランプ３の動作などを考慮し最良の高さに設計している。【００２１】  上部に取り付ける固定クランプ３  はホース等が手すりに干渉しすぎないよう固定できるちょうど良い位置に丈夫な紐等を用いて配置している。【００２２】  下降用ロープ５  は下の階に下ろすのにちょうど良い長さのものを用いてロープ・クランプ取付部４  に固定する。【００２３】  ホース等の固定にはナイロン製の十分な強度の  スリング７  を使用し、カラビナ８はロック付きのものを使用する。これにより破断、外れによる落下事故を防止する。【００２４】  ホース等６を縛ったスリング７  は、カラビナ８  を用いて下側のカラビナ取付部９に固定し、カラビナには外れ止めを実施する。【００２５】  図３は下降作業時の様子である。下の階に移動させるときには、ロープ１０で吊り下げ、下の手すりにロープの少しの回転調整操作により角度を合わせて引っ掛ける。【００２６】  下降時にはクランプ１１を用い、ホース等の先端１２を仮固定してから一緒に降ろす。これにより先端が暴れて建物に傷を付けたり人に当たったりするのを防ぐ。【００２７】  図４は作業中の固定状況である。ホース等の自重はスリング１３、カラビナ１４，を介して吊り下げ具本体のフック部分１５にかかる。カバーが掛けられているので手すりは傷つかず、手すりの角に当たらないのでホース等も傷まない。【００２８】  作業に必要なホース等を取り出すにあたり、クランプ１６で固定してホース等を浮かせておく。これによりホース等の作業中の振動などにより手すりが汚れるのを防ぐ。
【図面の簡単な説明】
【００２９】
【図１】  本発明の実施形態を示す吊り下げ具の横方向からの全体図
【図２】  同吊り下げ具の上方から見た外観図
【図３】  降下作業時の使用例
【図４】  作業中固定位置の使用例
【符号の説明】
【００３０】１  フック部分      ２  中心軸        ３  固定クランプ
４  ロープ、クランプ取付部      ５  吊り下げ用ロープ      ６  ホース等
７  スリング      ８  カラビナ      ９  カラビナ取付部分
１０  吊り下げ中ロープ      １１  固定中クランプ      １２  ホース等先端部
１３  スリング      １４  カラビナ      １５  フック部分      １６  クランプ
【図１】
2010090686.tif 000003
【図２】
2010090686.tif 000004
【図３】
2010090686.tif 000005
【図４】
2010090686.tif 000006
(57)【要約】【課題】本発明は、テーブル状単位部材を用いた雨水貯留浸透施設の省資源化を図る際使用する継ぎ手の提案である。【解決手段】本発明は、契合孔を有する盤部と当該盤部に開口する脚部とからなるテーブル状単位部材をその脚部を突き合せるように配置した状態を一組み合わせ単位とし、間隔をあけて配置した前記単位間を接続するための継ぎ手であって、当該継ぎ手は平板部の両端に契合部を有し、当該契合部は前記テーブル状単位部材の盤部の契合孔に上下から挟むように構成された継ぎ手である。【選択図】図１
2010090659.tif 000002
【特許請求の範囲】
【請求項１】
契合孔を有する盤部と当該盤部に開口する脚部とからなるテーブル状単位部材をその脚部を突き合せるように配置した状態を一組み合わせ単位とし、間隔をあけて配置した前記単位間を接続するための継ぎ手であって、当該継ぎ手は平板部の両端に契合部を有し、当該契合部は前記テーブル状単位部材の盤部の契合孔に上下から挟むように構成された継ぎ手。
【発明の詳細な説明】
【技術分野】
【０００１】
本発明は、雨水等の貯留浸透施設の技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで覆い、その内部空間に雨水等を貯留する浸透・貯留施設とするものであった。
上記単位部材の配列を工夫することで省資源を図る方法を特願2008-214013で開示したが、そのときに使用する継ぎ手にはまだ工夫が必要であった。
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【特許文献８】特願2008-214013
【発明の開示】
【発明が解決しようとする課題】
【０００４】
本発明は、テーブル状単位部材を用いた雨水貯留浸透施設の省資源化を図る際使用する継ぎ手の提案である。
【課題を解決するための手段】
【０００５】
本発明は、契合孔を有する盤部と当該盤部に開口する脚部とからなるテーブル状単位部材をその脚部を突き合せるように配置した状態を一組み合わせ単位とし、間隔をあけて配置した前記単位間を接続するための継ぎ手であって、当該継ぎ手は平板部の両端に契合部を有し、当該契合部は前記テーブル状単位部材の盤部の契合孔に上下から挟むように構成された継ぎ手である。契合を確実にするため間隔を設けた、張り合わせた盤部若しくは単独の盤部を上下から挟む契合部とした。
【発明の効果】
【０００６】
本発明は、平板の両側に設けた契合部を、テーブル状部材の盤部を上下より挟む形状としたため確実な契合が図れる。
【発明を実施するための最良の形態】
【０００７】
以下、本発明を図によって、より詳細に説明する。
図１は、本発明の継ぎ手の概念図である。
図１ａは、平面図であり、図１ｂは、それぞれA-A’線の断面図である。
図に示す通り、本継ぎ手は平板部の両側に上下に挟む契合部が設けられている。
図１ｂに示すように、平板両端に設けた契合部はコ状で盤部に設けた契合孔に挿入可能な爪が設けられている。
【０００８】
図２は、テーブル状部材の一例を示す概念図である。図２ａはその平面図、図２ｂは断面図である。図３ａその脚部を突き合せた状態、図３ｂは盤部を張り合わせた状態を示している。
脚部の形状は図４ａに示すような戴円錐形状であっても、図４ｂに示すような梅鉢形状であってもよい。好ましくは互いに入れ子状に積み重ねられる形状である。
図５は間隔を置いて配置したテーブル状部材間を本発明の継ぎ手で契合した状態を示す概念図である。図５ａは張り合わせた状態の盤部を契合したものであり、図５ｂは、単独の盤部を契合した状態を示している。
図に示すようにテーブル状部材のそれぞれの盤部に設けられた契合孔に本継ぎ手の契合部の爪が挿入されて、強固な契合が得られる。
契合部の爪、契合部など互いに契合可能な形状であれば特に本例の形状に限ることはない。
【０００９】
以下本継ぎ手を用いて契合したテーブル状単位部材を用いた雨水等の貯留浸透施設について説明する。かかる貯留浸透施設は、テーブル状部材を上下左右に配列し貯留空間を形成する。
【００１０】
図３ａに示すように、本貯留空間はテーブル状単位部材をその脚部を互いに突き合せるように連結したものを一組み合わせ単位として、その組み合わせ単位ごとに配列するのが好ましい。本継ぎ手の使用場所はテーブル状部材の盤部の張り合わせ部分及び最下段及び最上段のテーブル状部材の間隔をあけた部分である。
【００１１】
テーブル状単位部材を等間隔に配列し、その間を本継ぎ手で連結して貯留空間を形成し、その上部を天井部材で覆い、その側面を適宜壁材で覆うことで雨水等の貯留浸透施設用の貯留空間を形成する。
その貯留空間をシートで覆い土砂の貯留空間への侵入を防止し、流入管、流出管、溢流管、泥だめます、人孔、オリフィスますなど必要に応じた付帯設備を設けて図６に示すような雨水等の貯留浸透施設として使用できることは従来の単位部材と同様である。図６ａは貯留空間を示し、図６ｂは貯留浸透施設の例を示している。シートも浸透槽として使用する場合は透水シート、地下水の浸入を防止あるいは貯留した雨水等を有効利用する場合には遮水シートを用いることも同様である。
【００１２】
テーブル状単位部材、連結部材および天井部材の材質は従来の単位部材を用いる方法と同様ポリプロピレンなどの射出成形可能なポリオレフィンあるいはステンレススチールなどの金属製とすることができる。
【図面の簡単な説明】
【００１３】
【図１】本発明の、本発明の継ぎ手の概念図である。
【図２】本発明に使用する、テーブル状部材の一例を示す概念図である。
【図３】テーブル状部材の脚部を突き合せた状態、盤部を張り合わせた状態を示している。
【図４】本発明に使用する、テーブル状部材の例を示す概念図である
【図５】本継ぎ手を使用した状態を示している。
【図６】本発明が適用された雨水等の貯留浸透槽の概念図である。
【符号の説明】
【００１４】
１  継ぎ手
１１  平板部
１２  契合部
２  テーブル状単位部材
２１  盤部
２２  脚部
２３  契合孔
３  天井部材
４  壁材
【図１】
2010090659.tif 000003
【図２】
2010090659.tif 000004
【図３】
2010090659.tif 000005
【図４】
2010090659.tif 000006
【図５】
2010090659.tif 000007
【図６】
2010090659.tif 000008
(57)【要約】【課題】簡易的に設置されたベンチを使わずに、バスの待ち時間に腰を下ろす設備を提供する。            【解決手段】バス停止標識の支柱又は土台に座面を設けることにより、バス停止標識と一体となった座面に腰をおろしバスが来るのを待つ。        【選択図】          図１
2010090648.tif 000002
【特許請求の範囲】
【請求項１】
バス停止標識に座面を設けたものであって、バス停止標識と座面が一体となっていることを特徴とする座面付きバス停止標識。
【請求項２】
バス停止標識の支柱に座面を設けた請求項１記載の座面付きバス停止標識。
【請求項３】
バス停止標識の土台に座面を設けた請求項１記載の座面付きバス停止標識。
【請求項４】
バス停止標識の土台を設置場所の形状に合わせ傾けることができる請求項１記載の座面付きバス停止標識。
【請求項５】
バス停止標識に雨避けの屋根を設けた請求項１記載の座面付きバス停止標識。
【発明の詳細な説明】
【技術分野】
【０００１】
本発明は、バス停止標識の支柱及び土台及び座面の形状及び構造に関する。
【背景技術】
【０００２】
従来のバス停止標識は、バスの停車場所を運転手や乗客に認識させたり、時刻表を掲示したりバスの到着予定を知らせたりする以外に役割は無かった。
【０００３】
大きなバスステーションにはベンチが設置されていたり、従来のバス停近くの歩道には簡易的にベンチが設置されていた。
【０００４】
しかし、歩道に簡易的にベンチを置いていると、道幅の広いところではあまり支障をきたさないが、道幅の狭い歩道等では通行人等の邪魔となることがあった。
【０００５】
又、全てのバス停にベンチが設置されている訳では無く、ベンチの無いバス停が多数であった。
【発明の開示】
【発明が解決しようとする課題】
【０００６】
上述の通り、従来のバス停止標識はバス待機客にとっては表示を認識する以外の役割は無かった。
【０００７】
その為、ベンチの無いところではバスを待っている間、立っているしかなかった。
【０００８】
しかし、バスを主に利用する高齢者等にとっては座る場所が無いことが苦痛となっていた。
【０００９】
簡易的にベンチが置いてある場所においても、道幅が狭いところでは、通行人等の邪魔になることがあった。
【００１０】
本発明は、このような現状に鑑みて、バス停止標識に座面を設けたことで、簡易的にベンチを設置するよりも省スペースとなり、またベンチが無いところでも待機客が疲労しないようにすることができることを特徴とする。
【課題を解決するための手段】
【００１１】
上述の目的を達成する本発明の座面付きバス停は、バス停止標識の支柱又は土台に座面を設け、座面と一体となったバス停止標識そのものに座ることができることを特徴とする。
【発明の効果】
【００１２】
本発明により、バス停止標識の座面に腰をかけながらバスを待つことができる。
また、簡易的にベンチを設置する必要もなくなり、歩道の占有面積を少なくできる。
【００１３】
昨今の高齢社会の到来により、高齢者の危険運転が問題となっているが、この発明により高齢者がバスを利用し易くなり、高齢者の事故防止、自家用車によるＣＯ２の削減といったことに寄与することができる。また、歩道の簡易的に設置されたベンチを減らすこともでき、車椅子が通りやすくなるなど、バリアフリーにも貢献できる。
【発明を実施するための最良の形態】
【００１４】
以下、本発明の実施の形態を図面に基づき詳細に説明する。
【００１５】
図１に示すように、バス停止標識１の支柱２に座面３を設けていることを特徴とする。
又、土台４により設置時の安定が保たれており、土台４の重量や形状によって座面着座時の安定を確保している。
【００１６】
図２に示すように、支柱２には時刻表５が掲載される。
【００１７】
図７に示すように、支柱２に設置された座面３に座っている間、少しでも雨の影響を受けないように雨よけの屋根部６が設置されている。
【００１８】
図９に示すのは、土台４の上に支柱２が設置され、支柱２自体が座面３を構成している様子であるとともに、座面３に待機客７が座る様子を表している。
【００１９】
図１０に示すのは、土台４自体が座面３を構成している様子を表している。
【００２０】
図１１に示すのは傾斜地８の形状に合わせ、土台４が傾いている様子を表しているとともに、支柱２に、雨よけの屋根部６が設置されている様子を表している。
【実施例１】
【００２１】
本発明の座面付きバス停止標識を設置することにより、バス停にベンチの設置できなかった地域においてもバス待機客の座面を確保することができる。
【００２２】
座面付きバス停止標識に雨よけの屋根を加えると、雨天時にバス待機客が濡れるのを防ぐことができる。
【００２３】
坂道等、設置場所の地形が傾いている場所においては、土台の角度を変えることにより、座面を水平に維持することができる。
【産業上の利用可能性】
【００２４】
本発明はバスによる運輸産業や、バス停止標識を製造する分野で利用できる。
【図面の簡単な説明】
【００２５】
【図１】本発明の実施の形態に係る座面付きバス停止標識の斜視図である。
【図２】図１のバス停止標識の正面図である。
【図３】図１のバス停止標識の背面図である。
【図４】図１のバス停止標識の側面図である。
【図５】図１のバス停止標識を箱形に構成したものの正面図である。
【図６】図５のバス停止標識の側面図である。
【図７】図５のバス停止標識の側面断面図である。
【図８】図５のバス停止標識の斜視図である。
【図９】支柱が座面を形成している構成の座面付きバス停の側面図である。
【図１０】土台が座面を形成している構成の座面付きバス停の側面図である。
【図１１】図９のバス停の傾斜地における土台の傾きを示した側面図であり、雨よけの屋根部を加えたものである。
【符号の説明】
【００２６】
１  バス停止標識
２  支柱
３  座面
４  土台
５  時刻表
６  雨よけの屋根部
７  待機客
８  傾斜地
【図１】
2010090648.tif 000003
【図２】
2010090648.tif 000004
【図３】
2010090648.tif 000005
【図４】
2010090648.tif 000006
【図５】
2010090648.tif 000007
【図６】
2010090648.tif 000008
【図７】
2010090648.tif 000009
【図８】
2010090648.tif 000010
【図９】
2010090648.tif 000011
【図１０】
2010090648.tif 000012
【図１１】
2010090648.tif 000013
(57)【要約】【課題】  着衣や脱衣を容易にするために、肩上部から袖上部にオープンファスナーを設けた両肩袖部開閉自在上服を提供する。【解決手段】  上服の肩上部（１）から袖上部（２）にオープンファスナー（３）を設けた両肩袖部の開閉自在な上服を特徴とする。【選択図】図１
2010090517.tif 000002
【特許請求の範囲】
【請求項１】
上服の肩上部（１）から袖上部（２）にオープンファスナー（３）を設けた両肩袖部の開閉自在な上服。
【発明の詳細な説明】
【技術分野】
【０００１】  この発明は、上服の両肩袖上部にオープンファスナーを取り付けた肩袖部の開閉自在な上服に関するものである。
【背景技術】
【０００２】  従来、床での仰臥状態で、上服の着衣のために腕を袖に通す時や、上服の脱衣のために腕を袖から抜く時には、上体を起こす必要があった。
【発明の開示】
【発明が解決しようとする課題】
【０００３】  これは、次のような欠点があった。
従来、床での仰臥時に、上服を着衣するためには腕を通し、脱衣するためには腕を抜くのが困難であった。
本発明は、以上のような欠点をなくすためになされたものである。
【課題を解決するための手段】
【０００４】  上服の肩上部（１）から袖上部（２）にオープンファスナー（３）を設ける。
本発明は、以上の構成よりなる肩袖部の開閉自在な上服である。
【発明の効果】
【０００５】  本発明は、両肩袖上部が開閉自在になっているので、床での仰臥時に、上服を着衣するための腕通しや、脱衣するための腕抜きをする必要がない。
両肩袖上部のオープンファスナーを開けば、寝た状態でも、上服を腰から足部に引くことによって、脱衣することができることや、肩袖上部を開けたまま足部から胸部に通し、肩袖上部のオープンファスナーを閉じるだけで着衣することができる。
【発明を実施するための最良の形態】
【０００６】  以下、本発明を実施するための最良の形態について説明する。
上服の肩上部（１）から袖上部（２）にオープンファスナー（３）を設ける。
本発明は以上のような構造である。
この上服を使用し、寝た状態でも着衣や脱衣をすればよい。
【図面の簡単な説明】
【０００７】
【図１】本発明の両肩袖上部開放時の斜視図である。
【図２】本発明の両肩袖上部閉鎖時の斜視図である。
【符号の説明】
【０００８】      １  上服の肩上部
２  上服の袖上部
３  オープンファスナー
【図１】
2010090517.tif 000003
【図２】
2010090517.tif 000004